(57)【要約】【課題】腰の振りに伴ってしなやかに軽快に舞い上がらせることができて、フラダンス独特の姿態を容易に演出することができ、以て、フラダンスの楽しみを一層増加させ得るフラダンス用スカートの製造方法を提供することを課題とする。【解決手段】スカート１着分のサイズの横長生地１を縦に等分して得た分割生地を複数枚用意し、前記複数枚の分割生地を９０度回転させて耳２が各分割生地の縦辺となるようにし、９０度回転させた複数枚の分割生地の各縦辺同士を縫着して円筒状体３を形成し、円筒状体３の上部を折り返してウエスト部４を縫製して仕上げる。【選択図】図１
2013127131.tif 000002
【特許請求の範囲】
【請求項１】
スカート１着分のサイズの横長生地を縦に等分して得た分割生地を複数枚用意し、前記複数枚の分割生地を９０度回転させて耳が各分割生地の縦辺となるようにし、前記９０度回転させた複数枚の分割生地の各縦辺同士を縫着して円筒状体を形成し、前記円筒状体の上部を折り返してウエスト部を縫製することから成るフラダンス用スカートの製造方法。
【請求項２】
前記横長生地は、４等分乃至６等分の範囲で分割される、請求項１に記載のフラダンス用スカートの製造方法。
【請求項３】
前記複数枚の分割生地は、同一の横長生地から形成されたものである、請求項１又は２に記載のフラダンス用スカートの製造方法。
【請求項４】
前記複数枚の分割生地は、異種の横長生地から形成されたものを混在させたものである、請求項１又は２に記載のフラダンス用スカートの製造方法。
【請求項５】
前記耳部分に、適宜間隔置きに縦方向に切れ目を入れる、請求項１乃至４のいずれかに記載のフラダンス用スカートの製造方法。
【発明の詳細な説明】
【技術分野】
【０００１】
本発明はフラダンス用スカートの製造方法に関するものであり、より詳細には、フラダンスをより見栄えよく行うことを可能にするフラダンス用スカートの製造方法に関するものである。
【背景技術】
【０００２】
フラダンス用スカートは一般にパウスカートと称され、概ね下記要領にて製作されている。
（１）縦が約１１０ｃｍ、横が約４００ｃｍの、所謂ハワイアンファブリック（ハワイアン生地）と称されている生地１１を用意する（長尺の上縁及び下縁が生地の耳１２となる。図２（ａ））。
（２）上記生地１１を円筒状に丸め、短尺の端縁１３同士を逢着する（図２（ｂ））。
（３）上部を折り返し、ゴム挿通路を複数段有するウエスト部１４を生成し、各ゴム挿通路にゴムを挿通する（図２（ｃ））。
【０００３】
ところで、フラダンスは、スカートと共に腰みのを着用し、音楽に合わせてゆったりと腰を振って踊ることを基本とするものであり、腰みのの舞い上がり方はもちろんのこと、スカートの舞い上がり方も、ショーダンスとして重要な要素となる。従って、当然のことながら踊り手は、腰の振りに伴ってきれいに舞い上がりやすいスカートを好む。
【０００４】
しかるに、上記従来のフラダンス用スカートは、長尺の上縁及び下縁が耳となる横長の１枚生地をそのまま丸めて製作されるが、その場合の生地は、その長尺方向（横方向）に織り上げられたものとなる。言うまでもなく生地は、緊張させた縦糸に対し、横糸を織り込んでいくことにより織り上げていくため、横糸よりも縦糸の方が安定している。従って、従来の縫製方法によるフラダンス用スカートの場合は、横方向に流れにくいものとなっている。
【先行技術文献】
【非特許文献】
【０００５】
【非特許文献１】ｈｔｔｐ：／／ｗｗｗ．ｍａｒｙｌｅｉ．ｃｏｍ／ｃａｔｅｇｏｒｙ／ｐａｕ１／ｈｏｗｔｏ／ｉｎｄｅｘ．ｈｔｍｌ
【非特許文献２】ｈｔｔｐ：／／ｗｗｗ．ａｌｏｈａ−ｌｏｖｅ．ｃｏｍ／ｈｕｌａ＿ｌｉｆｅ／ｍａｋｉｎｇ＿ｐａｕ．ｈｔｍｌ
【発明の概要】
【発明が解決しようとする課題】
【０００６】
上述したように、従来の縫製方法によるフラダンス用スカートの場合は、長尺の上縁及び下縁が耳となる横長の１枚生地をそのまま丸めて製作されており、その場合の生地は、その長尺方向（横方向）に織り上げられているために、当該スカートは横揺れしにくいものであった。
【０００７】
本発明者はかかる現状に鑑み、フラダンスの重要要素である、腰の振りに伴うスカートのしなやかな舞い上がりを追求した結果本発明を完成させたものである。即ち、本発明の課題は、腰の振りに伴ってしなやかに軽快に舞い上がらせることができて、フラダンス独特の姿態を容易に演出することができ、以て、フラダンスの楽しみを一層増加させ得るフラダンス用スカートの製造方法を提供することにある。
【課題を解決するための手段】
【０００８】
上記課題を解決するための請求項１に係る発明は、スカート１着分のサイズの横長生地を縦に等分して得た分割生地を複数枚用意し、前記複数枚の分割生地を９０度回転させて耳が各分割生地の縦辺となるようにし、前記９０度回転させた複数枚の分割生地の各縦辺同士を縫着して円筒状体を形成し、前記円筒状体の上部を折り返してウエスト部を縫製することから成るフラダンス用スカートの製造方法である。
【０００９】
前記横長生地は、４等分乃至６等分の範囲で分割される。一実施形態においては、前記複数枚の分割生地は、同一の横長生地から形成されたものとされ、他の実施形態においては、前記複数枚の分割生地は、異種の横長生地から形成されたものを混在させたものとされる。また、一実施形態においては、前記耳部分に、適宜間隔置きに縦方向に切れ目を入れる。
【発明の効果】
【００１０】
本発明に係るフラダンス用スカートの製造方法は上述したとおりであって、本発明に係る方法によって製造されたスカートは、生地の耳が両縦辺となる複数枚の分割生地を横につなげて構成され、縦糸よりも不安定な横糸が縦向きになるために横揺れしやすいものとなる。そのため該スカートは、腰の振りに伴ってしなやかに軽快に舞い上がらせることができて、フラダンス独特の姿態を演出することが容易となり、以て、フラダンスの楽しみを一層増加させ得る効果がある。
【図面の簡単な説明】
【００１１】
【図１】本願発明に係るフラダンス用スカートの製造方法をその工程順に示したものである。
【図２】従来のフラダンス用スカートの製造方法をその工程順に示したものである。
【発明を実施するための形態】
【００１２】
本発明に係るフラダンス用スカートの製造方法は、スカート１着分のサイズの横長生地を縦に等分して得た分割生地を複数枚用意し、前記複数枚の分割生地を９０度回転させて耳が各分割生地の縦辺となるようにし、前記９０度回転させた複数枚の分割生地の各縦辺同士を縫着して円筒状体を形成し、前記円筒状体の上部を折り返してウエスト部を縫製することから成る。前記横長生地は、４等分乃至６等分の範囲で分割される。以下に、本発明に係る方法を、図１を参照しつつ、即ち、前記横長生地を５分割する場合につき、工程順に詳細に説明する。
【００１３】
縫製生地準備工程
本発明に係る方法においては、先ず、５枚の分割生地Ａ〜Ｅを用意する。この５枚の分割生地Ａ〜Ｅは、スカート１着分のサイズに裁断した横長生地１を縦に５等分して得る。５枚の分割生地Ａ〜Ｅは、同一の横長生地１から形成することが多いが、色、柄等が異なる異種の横長生地から形成したものを混在させることとしてもよい。その場合の組み合わせは任意で、例えば、２種の分割生地を１つ置きに配置する方法、５枚共異種の分割生地を組み合わせる方法等が考えられる。必要に応じ、耳２部分に、適宜間隔置きに縦方向に切れ目を入れる。
【００１４】
分割生地縫着工程
この工程においては、用意した５枚の分割生地Ａ〜Ｅをそれぞれ９０度回転させて、各分割生地Ａ〜Ｅの耳２が縦辺となるようにする。そして、５枚の分割生地Ａ〜Ｅの各縦辺（耳２）同士を縫着することによって円筒状体３を形成する。
【００１５】
ウエスト部縫製工程
上記工程において形成した円筒状体３の上部を、所望量折り返してウエスト部４を設ける。ウエスト部４の生成は、従来の方法と特に異なるところはない。即ち、その折り返し部分を横方向に縫着することによりゴム挿通路を複数段設け、各ゴム挿通路にゴムを挿通してウエスト部４を形成する。
【００１６】
このような工程から成る本発明に係る方法によって製造されたスカートの場合、生地の耳２が両縦辺となる５枚の分割生地Ａ〜Ｅを横につなげて構成されるため、通常の生地において縦糸よりも不安定である横糸が縦向きになるため、横揺れしやすいものとなる。そのため該スカートは、ダンサーの腰の振り動作に伴ってしなやかに軽快に広がって舞い上がりやすくなり、フラダンス独特の姿態を演出することが容易となる。また、耳２部分に適宜間隔置きに縦方向に切れ目を入れる場合は、より一層揺動しやすいものとなる。
【００１７】
かくして、本発明に係る方法によって製造されたスカートを着用すれば、フラダンスの楽しみが一層助長される。
【００１８】
この発明をある程度詳細にその最も好ましい実施形態について説明してきたが、この発明の精神と範囲に反することなしに広範に異なる実施形態を構成することができることは明白である。従って、この発明は、添付請求の範囲において限定した以外はその特定の実施形態に制約されるものではない。
【符号の説明】
【００１９】
１    横長生地
２    耳
３    円筒状体
４    ウエスト部
Ａ、Ｂ、Ｃ、Ｄ、Ｅ    分割生地
【図１】
2013127131.tif 000003
【図２】
2013127131.tif 000004